【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
液体噴射ヘッドのノズル面をキャピングするキャップと、
前記キャップが複数搭載されたキャップユニットと、
前記ノズル面をワイピングするワイパーと、
前記キャップからインクを吸引する吸引ポンプと、
前記キャップを前記ノズル面に対して移動させるキャップ駆動伝達機構と、
前記ワイパーを移動させると共に前記吸引ポンプを駆動するワイパー・ポンプ駆動伝達機構と、
前記キャップユニットと係合するレバーが形成され、前記キャップユニットの移動位置に応じて、前記吸引ポンプの駆動もしくは前記ワイパーの移動に前記ワイパー・ポンプ駆動伝達機構の駆動を切り替える駆動切替機構と、
を有し、
前記キャップユニットには、前記レバーと係合するカム面が形成されており、
前記駆動切替機構は、前記キャップユニットの移動により前記レバーと前記カム面が係合することにより、前記吸引ポンプもしくは前記ワイパーのどちらか一方を駆動可能に切り替えることを特徴とする液体噴射ヘッドのメンテナンス装置。
【請求項２】
前記駆動切替機構は、
駆動軸を回転させる駆動モーターと、
内歯車もしくは遊星キャリアを有し、前記駆動モーターの前記駆動軸の回転を減速して前記内歯車もしくは前記遊星キャリアを回転させる遊星歯車減速機と、
前記キャップユニットの移動位置に応じて、前記遊星歯車減速機の前記内歯車もしくは前記遊星キャリアの回転を停止するラッチ機構と、
を備え、
前記レバーが前記カム面と係合して、前記ラッチ機構によるラッチを解除することで前記吸引ポンプもしくは前記ワイパーのどちらか一方を駆動可能に切り替える請求項１に記載の液体噴射ヘッドのメンテナンス装置。
【請求項３】
前記ワイパーを支持して移動するワイパーフレームと、
前記ワイパーフレームを支持する装置フレームと、
前記装置フレームに配設されて、前記ワイパーフレームを支持する弾性部材と、
前記キャップを支持し、前記キャップユニットに備えられたキャップ支持部材と、
前記ワイパーフレームに配設され、前記キャップユニットと係合して前記ワイパーフレームを前記キャップユニットと移動させる係合部と、
を有する請求項１に記載の液体噴射ヘッドのメンテナンス装置。
【請求項４】
前記ワイパーでワイピングする前記ノズル面と異なる位置のノズル面をワイピングする第２ワイパーと、
前記ワイパーフレームに配設されて、前記ワイパー及び前記第２ワイパーを支持して移動するワイパーホルダーと、有し、
前記ワイパー・ポンプ駆動伝達機構は、前記ワイパーホルダーを移動させる請求項３に記載の液体噴射ヘッドのメンテナンス装置。
【請求項５】
前記ワイパーが移動する方向の第１位置に配設され、前記ワイパーフレームが前記ノズル面から離れる方向に移動したときに前記ワイパーと係合して前記ワイパーを第１の状態から前記第１の状態と異なる第２の状態に切り替える第１ワイパー係合部材と、
前記ワイパーが移動する方向の前記第１位置とは異なる第２位置に配設され、前記ノズル面から離れる方向に移動したときに前記ワイパーと係合して前記ワイパーを第１の状態から前記第１の状態と異なる第２の状態に切り替える第２ワイパー係合部材と、
前記ワイパーが移動する方向の前記第１位置及び前記第２位置とは異なる第３位置に配設され、前記ワイパーが前記第３位置に移動したときに、前記ワイパーおよび前記第２ワイパーに係合して、当該第１、第２ワイパーを前記第２の状態から前記第１の状態に切り替える第３ワイパー係合部材と、
を有する請求項４に記載の液体噴射ヘッドのメンテナンス装置。
【請求項６】
前記キャップでキャッピングする前記ノズル面と異なる位置の前記ノズル面をキャッピングする第２キャップを有し、
前記キャップ支持部材は、前記キャップおよび前記第２キャップを支持する請求項３に記載の液体噴射ヘッドのメンテナンス装置。
【請求項７】
前記キャップ支持部材は、前記キャップを前記ノズル面に押圧する第１キャップ押圧部材と、前記第２キャップを前記ノズル面に押圧する第２キャップ押圧部材と、を支持する請求項６に記載の液体噴射ヘッドのメンテナンス装置。
【請求項８】
前記キャップで吸引されたインクを移動させる第１インク吸引経路と、
前記第２キャップで吸引されたインクを移動させる第２インク吸引経路と、
前記第１インク吸引経路を開閉する第１バルブと、
前記第１バルブと前記ワイパーの移動方向の異なる位置に配設されて前記第２インク吸引経路を開閉する第２バルブと、
前記ワイパーの移動方向に移動し、前記第１バルブと対向した位置もしくは前記第２バルブと対向した位置に移動して、前記第１バルブもしくは前記第２バルブを開閉するバルブセレクターと、
を有する請求項６に記載の液体噴射ヘッドのメンテナンス装置。
【請求項９】
前記ワイパーは、凸曲面を有し、
前記ワイパーの前記凸曲面と接触する凹曲面を有し、前記ワイパーの前記凸曲面をクリーニングするワイパークリーナーを備える
請求項４に記載の液体噴射ヘッドのメンテナンス装置。
【請求項１０】
前記第２ワイパーは、凸曲面を有し、
前記ワイパークリーナーは、前記第２ワイパーの前記凸曲面と接触する凹曲面を有する
請求項９に記載の液体噴射ヘッドのメンテナンス装置。
【請求項１１】
前記ワイパーフレームに配設され、前記ワイパークリーナーを支持するワイパークリーナー弾性支持部材を有する
請求項１０に記載の液体噴射ノズルのメンテナンス装置。
【請求項１２】
前記ワイパー・ポンプ駆動伝達機構を駆動させて前記ワイパーで前記ノズル面をワイピングさせた後、前記キャップ駆動伝達機構を駆動させて前記ワイパーを前記ノズル面から離間させる制御部を有する請求項３に記載の液体噴射ヘッドのメンテナンス装置。
【請求項１３】
前記ワイパー・ポンプ駆動伝達機構は、前記装置フレームに配設される駆動側外歯車、前記ワイパーフレームに配設される従動側外歯車、前記駆動側外歯車の軸線で旋回する旋回部材、前記旋回部材で支持されて前記駆動側外歯車との噛み合い状態を維持して当該駆動側外歯車の軸線回りに公転する伝達用外歯車、及び前記従動側外歯車と前記伝達用外歯車とに噛み合う連結部材を有するワイパー駆動伝達機構部を備える請求項１２に記載の液体噴射ヘッドのメンテナンス装置。
【請求項１４】
インクを吐出するノズルを配設するノズル面を有する液体噴射ヘッドと、
前記液体噴射ヘッドのノズル面をキャピングするキャップが複数搭載されたキャップユニット、及び前記ノズル面をワイピングするワイパーを有するメンテナンス部と、
前記キャップからインクを吸引する吸引ポンプと、
前記キャップを前記ノズル面に対して移動させるキャップ駆動伝達機構と、
前記ワイパーを移動させると共に前記吸引ポンプを駆動するワイパー・ポンプ駆動伝達機構と、
前記キャップユニットと係合するレバーが形成され、前記キャップユニットの移動位置に応じて、前記吸引ポンプの駆動もしくは前記ワイパーの移動に前記ワイパー・ポンプ駆動伝達機構の駆動を切り替える駆動切替機構と、
を備え、
前記キャップユニットには、前記レバーと係合するカム面が形成されており、
前記駆動切替機構は、前記キャップユニットの移動により前記レバーと前記カム面が係合することにより、前記吸引ポンプもしくは前記ワイパーのどちらか一方を駆動可能に切り替えることを特徴とする液体噴射装置。
【請求項１５】
インクを吐出するノズルを配設するノズル面を有し、インクを記録媒体に吐出するインクジェットヘッドと、
前記インクジェットヘッドのノズル面をキャピングするキャップが複数搭載されたキャップユニット、及び前記ノズル面をワイピングするワイパーを有するメンテナンス部と、
前記キャップからインクを吸引する吸引ポンプと、
前記キャップを前記ノズル面に対して移動させるキャップ駆動伝達機構と、
前記ワイパーを移動させると共に前記吸引ポンプを駆動するワイパー・ポンプ駆動伝達機構と、
前記キャップユニットと係合するレバーが形成され、前記キャップユニットの移動位置に応じて、前記吸引ポンプの駆動もしくは前記ワイパーの移動に前記ワイパー・ポンプ駆動伝達機構の駆動を切り替える駆動切替機構と、
前記記録媒体を搬送する搬送経路と、
前記記録媒体を前記搬送経路に沿って搬送する搬送機構と、
を備え、
前記キャップユニットには、前記レバーと係合するカム面が形成されており、
前記駆動切替機構は、前記キャップユニットの移動により前記レバーと前記カム面が係合することにより、前記吸引ポンプもしくは前記ワイパーのどちらか一方を駆動可能に切り替えることを特徴とするプリンター。